(57)【要約】【課題】電線ヒューズの溶断部内に蛍光塗料を充填することで、溶断時に飛散する蛍光塗料を電線ヒューズの透明な筒体内に付着させ、昼間は勿論のこと、夜間でも、作業者にヒューズエレメントの溶断を明確に視認させる。【解決手段】電線に過電流が流れた場合に溶断する溶断部２の両端を接続部３で接続したヒューズエレメント４を、透明筒体５に収納した電線ヒューズ１であって、溶断部２内に蛍光塗料１２を充填し、溶断部２の両端に接続した接続部３が弾性部材から成り、溶断部２に過電流が流れ、溶断する際に溶断部２に接続した弾性部材から成る接続部３が、この溶断部分を強力に引っ張り、溶断部２内に充填した蛍光塗料１２を飛散させ、透明筒体５の内壁面に付着させるように構成した。【選択図】図２
2011086593.tif 000002
【特許請求の範囲】
【請求項１】
電線に過電流が流れた場合に溶断する溶断部（２）の両端を接続部（３）で接続したヒューズエレメント（４）を、透明筒体（５）に収納した電線ヒューズ（１）であって、
前記溶断部（２）内に蛍光塗料（１２）を充填し、
前記溶断部（２）の両端に接続した接続部（３）が弾性部材から成り、
前記溶断部（２）に過電流が流れ、溶断する際に該溶断部（２）に接続した弾性部材から成る接続部（３）が、この溶断部分を強力に引っ張り、該溶断部（２）内に充填した蛍光塗料（１２）を飛散させ、前記透明筒体（５）の内壁面に付着させるように構成した、ことを特徴とする電線ヒューズ。
【請求項２】
前記透明筒体（５）の内壁面に、前記溶断部（２）が溶断する際に、該溶断部（２）を前記透明筒体（５）の長手方向に引き離すように分離させ、該溶断部（２）内に充填した蛍光塗料（１２）を飛散させるように、
前記弾性部材から成る接続部（３）は、コイル状のばね材（１３）である、ことを特徴とする請求項１の電線ヒューズ。
【請求項３】
前記透明筒体（５）の内壁面に、前記溶断部（２）が溶断する際に、該溶断部（２）を前記透明筒体（５）の長手方向に引き離すように分離させ、該溶断部（２）内に充填した蛍光塗料（１２）を飛散させるように、
前記弾性部材から成る接続部（３）は、それぞれ前記透明筒体（５）の内壁面方向に付勢する板状のばね材（１５）である、ことを特徴とする請求項１の電線ヒューズ。
【請求項４】
前記透明筒体（５）の内壁面に、前記溶断部（２）から飛散した蛍光塗料（１２）が付着しやすい保護被膜（１４）を張り付けた、ことを特徴とする請求項１、２又は３の電線ヒューズ。
【発明の詳細な説明】
【技術分野】
【０００１】
本発明は、電線に過電流が流れた際にその回路を遮断して事故を防止する電線ヒューズに関する。
【背景技術】
【０００２】
一般需要家等に電力供給を行う際に、引込線を介して配電線と電力需要者側の引込口配線の接続が行われ、この配電線と引込線との接続点には引込線用の電線ヒューズが取り付けられている。この電線ヒューズは、引込線に過大な電流が流れるような場合に、ヒューズエレメントを溶断させ、その回路を遮断して引込線を保護する。
【０００３】
電線ヒューズには、大過電流用ヒューズと小過電流用ヒューズとがある。大過電流用ヒューズは所定の規定値を大幅に上回る電流が流れた場合に、この大過電流により溶断部が瞬間的に発熱して溶けることで溶断する電線ヒューズである。小過電流用ヒューズは、所定の規定値を小幅に上回る電流、小過電流が所定の時間、継続的に流れた場合に溶断する電線ヒューズがある。この小過電流用ヒューズでは、小過電流が流れることによって溶断部が比較的緩やかに発熱し、その溶断部に接合された低融点の金属が溶けて導線の銅と合金化することにより、導線が細くなり、溶断部の電気抵抗は増し、溶断部がさらに発熱して溶断に至る。
【０００４】
従来の電線ヒューズの一例を図４の全体断面図に示す。この電線ヒューズ５１は、合金の第１ヒューズエレメント５２の両端に銅の第２ヒューズエレメント５３を連結したものである。これらの第１、第２ヒューズエレメント５２，５３を、例えば内側にシリコーンゴム製の保護管５４を入れたガラス製の内筒５５と、その周囲の合成樹脂製の透明な外ケース５６に収納し、更にその両端を断熱材５７で挟んで密封した状態にする。この内筒５５と断熱材５７は、更に充填物５８を入れた後にキャップ５９で覆う。両第２ヒューズエレメント５３は、それぞれリード線６０に接続してある。リード線６０とキャップ５９とは端子カバー６１で覆う。
【０００５】
このような電線ヒューズ５１について、第１、第２ヒューズエレメント５２，５３が溶断した際に地上から確認する場合、溶断しているか否を判断する目安となる溶断時の表示方法としては、次のような手段が提案されている。例えば特許文献１の特開昭５９−１９４３２７号公報「電線用ヒューズ」に示すように、大小過電流遮断用ヒューズエレメントを単一素材による単一ヒューズエレメントとした電線用ヒューズが提案されている。
【特許文献１】特開昭５９−１９４３２７号公報
【０００６】
また、ヒューズエレメントの溶断を簡単で容易にかつ効率良く判別させる技術に関しても提案されている。例えば特許文献２の特開２００７−２８７３９２号公報「電線ヒューズ」に示すように、筒状の筐体内にヒューズ素子が設けられて、上記ヒューズ素子の一端が上記筐体の一方の端部に設けられた電力供給側端子に接続され、上記ヒューズ素子の他端が上記筐体の他方の端部に設けられた電力需要側端子に接続されている電線ヒューズにおいて、上記筐体内に、発光素子と、上記発光素子を駆動する駆動部と、上記ヒューズ素子が溶断したとき、上記電力供給側端子に供給されている電力を上記駆動部に供給して上記発光素子を発光させるスイッチ部とを設け、上記筐体には、上記発光素子からの出力光を筐体外に放射する放射部を形成した電線ヒューズが提案されている。
【発明の開示】
【発明が解決しようとする課題】
【０００７】
上述した特許文献１の「電線用ヒューズ」は、ヒューズの構造自体は簡潔であるが実際に溶断しているか否を確認しようとする際に、他のヒューズエレメントが重なっている場合には視認が困難であるという問題を有していた。特に、夜間での確認については周囲が暗いため、溶断している表示部分も小さいことも相俟って、電柱の高所に備えられる引込線用の電線ヒューズはその確認が特に困難であった。
【０００８】
上述した特許文献２の「電線ヒューズ」は、スイッチ部を介して電力供給側端子から駆動部に電力が供給され、駆動部が発光素子を駆動させることによって、昼夜を問わず、作業者にヒューズ素子の溶断を容易に、かつ効率良く知らせることができるが、その装置自体が大掛かりなり、電柱の高所に備えられる引込線に備えられる引込線用電線ヒューズには不向きであるという問題を有していた。
【０００９】
本発明は、かかる問題点を解決するために創案されたものである。すなわち、本発明の目的は、電線ヒューズの溶断部内に蛍光塗料を充填することで、溶断時に飛散する蛍光塗料を電線ヒューズの透明な筒体内に付着させ、昼間は勿論のこと、夜間でも、作業者にヒューズエレメントの溶断を明確に視認させることができる電線ヒューズを提供することにある。
【課題を解決するための手段】
【００１０】
本発明は、電線に過電流が流れた場合に溶断する溶断部（２）の両端を接続部（３）で接続したヒューズエレメント（４）を、透明筒体（５）に収納した電線ヒューズ（１）であって、前記溶断部（２）内に蛍光塗料（１２）を充填し、前記溶断部（２）の両端に接続した接続部（３）が弾性部材から成り、前記溶断部（２）に過電流が流れ、溶断する際に該溶断部（２）に接続した弾性部材から成る接続部（３）が、この溶断部分を強力に引っ張り、該溶断部（２）内に充填した蛍光塗料（１２）を飛散させ、前記透明筒体（５）の内壁面に付着させるように構成したことを特徴とする。
【００１１】
例えば、前記透明筒体（５）の内壁面に、前記溶断部（２）が溶断する際に、該溶断部（２）を前記透明筒体（５）の長手方向に引き離すように分離させ、該溶断部（２）内に充填した蛍光塗料（１２）を飛散させるように、前記弾性部材から成る接続部（３）は、コイル状のばね材（１３）にすることができる。
または、前記透明筒体（５）の内壁面に、前記溶断部（２）が溶断する際に、該溶断部（２）を前記透明筒体（５）の長手方向に引き離すように分離させ、該溶断部（２）内に充填した蛍光塗料（１２）を飛散させるように、前記弾性部材から成る接続部（３）は、それぞれ前記透明筒体（５）の内壁面方向に付勢する板状のばね材（１５）にすることができる。
前記透明筒体（５）の内壁面に、前記溶断部（２）から飛散した蛍光塗料（１２）が付着しやすい保護被膜（１４）を張り付けることが好ましい。
【発明の効果】
【００１２】
本発明では、溶断部（２）に過電流が流れ、溶断する際にこの溶断部（２）に接続した弾性部材から成る接続部（３）が溶断部分を強力に引っ張り、溶断部（２）内に充填した蛍光塗料（１２）を飛散させ、透明筒体（５）に付着させる。そこで、溶断時に電線ヒューズの透明筒体（５）の内壁面に付着した蛍光塗料（１２）は、昼間は勿論のこと、夜間でも作業者に視認させることができる。特に、電柱の高所に備えられる引込線に接続する電線ヒューズ（１）についても、その蛍光塗料（１２）の飛散を容易に視認することができる。
【００１３】
また、コイル状のばね材（１３）又は板状のばね材（１５）の弾性部材から成る接続部（３）は、短絡のように大過電流により瞬間的に溶断する場合に限らず、接触不良のような小過電流により徐々に溶断する場合でも、その溶断部分の蛍光塗料（１２）を飛散させることができる。
【図面の簡単な説明】
【００１４】
【図１】実施例１の電線ヒューズを示す全体断面図である。
【図２】実施例１の電線ヒューズを示す拡大部分断面図であり、（ａ）は溶断前の状態、（ｂ）は溶断後の状態である。
【図３】実施例２の電線ヒューズを示す拡大部分断面図であり、（ａ）は溶断前の状態、（ｂ）は溶断後の状態である。
【図４】従来の電線ヒューズを示す全体断面図である。
【発明を実施するための最良の形態】
【００１５】
本発明の電線ヒューズは、電線に過電流が流れた場合に溶断する溶断部内に蛍光塗料を充填し、溶断部の両端に接続した接続部を弾性部材で形成したものである。この溶断部に過電流が流れ、溶断する際に溶断部に接続した弾性部材から成る接続部が、この溶断部分を強力に引っ張り、溶断部内に充填した蛍光塗料を飛散させ、透明筒体の内壁面に付着させるように構成したものである。
【実施例１】
【００１６】
以下、本発明の好ましい実施の形態を図面を参照して説明する。
図１は実施例１の電線ヒューズを示す全体断面図である。図２は実施例１の電線ヒューズを示す拡大部分断面図であり、（ａ）は溶断前の状態、（ｂ）は溶断後の状態である。
本発明の電線ヒューズ１は、電線に過電流が流れた場合に溶断する溶断部２の両端を接続部３で接続した合金のヒューズエレメント４を、例えばガラス製の透明筒体５に収納したものである。この透明筒体５を合成樹脂製の透明な外ケース６に収納し、更にその両端を断熱材７で挟んで密封した状態にしたものである。この透明筒体５、外ケース６と断熱材７は、更に充填物８を入れた後にキャップ９で覆う。両接続部３は、それぞれリード線１０に接続し、このリード線１０とキャップ９とは端子カバー１１で覆っている。この電線ヒューズ１の構成は１例であってこれに限定されないことは勿論である。
【００１７】
本発明の溶断部２には、図２（ａ）の断面図に示すように、その内部に蛍光塗料１２を充填した。蛍光塗料１２とは可視範囲の蛍光を発する蛍光顔料を配合した塗料をいう。この蛍光塗料１２は、溶断部２に過電流が流れ溶断する際に、飛散させ、透明筒体５の内壁面に付着させるものである。この蛍光塗料１２の付着により、電線ヒューズ１の溶断を明示するようになっている。
【００１８】
更に、溶断部２の両端に接続した接続部３は弾性部材で形成されている。実施例１の弾性部材は、コイル状のばね材１３からなる。図２（ｂ）の断面図に示すように、接続部３が弾性部材から成るので、溶断部２に過電流が流れ、溶断する際に接続部３の弾性部材が溶断部分を強力に引っ張る。そこで溶断部２内に充填した蛍光塗料１２を飛散させることができ、透明筒体５の内壁面に広い範囲で付着させることができる。
【００１９】
そこで、溶断時に透明筒体５の内壁面に付着した蛍光塗料は、昼間は勿論のこと、夜間でも作業者に視認させることができる。特に、コイル状のばね材１３の弾性部材から成る接続部３は、短絡のように大過電流により瞬間的に溶断する場合に限らず、接触不良のような小過電流により徐々に溶断する場合でも、その溶断部分の蛍光塗料１２を大きく飛散させることができる。
【００２０】
透明筒体５内面には、溶断部２から飛散した蛍光塗料１２が付着しやすい保護被膜１４を張り付けることが好ましい。この保護被膜１４は、例えば蛍光塗料１２が付着しやすいように、細かい凹凸面を形成した樹脂フィルム、または細いスリットを多数形成した樹脂フィルム等がある。即ち、蛍光塗料１２が付着しやすく、かつその状態が昼間はもちろんのこと夜間でも視認しやすい素材ものがよい。
【実施例２】
【００２１】
図３は実施例２の電線ヒューズを示す拡大部分断面図であり、（ａ）は溶断前の状態、（ｂ）は溶断後の状態である。
実施例２の電線ヒューズ１は、接続部３の弾性部材が、透明筒体５の内面方向に付勢する板状のばね材１５からなるものである。例えば、この板状のばね材１５から成る接続部３は、溶断部２が溶断する際に溶断部２を、透明筒体５の内面方向にそれぞれ分離させ、溶断部２内に充填した蛍光塗料１２を大きく飛散させるように作用する。
【００２２】
なお、本発明は、電線ヒューズ１の溶断部２内に蛍光塗料１２を充填することで、溶断時に飛散する蛍光塗料１２を透明筒体５の内壁面に大きく付着させ、昼間は勿論のこと、夜間でも、作業者にヒューズエレメント４の溶断を明確に視認させることができれば、上述した発明の実施の形態に限定されず、本発明の要旨を逸脱しない範囲で種々変更できることは勿論である。
【産業上の利用可能性】
【００２３】
本発明の電線ヒューズは、主に引込線用の配線の電線ヒューズに利用することができるが、この引込線用以外の配線の電線ヒューズにも利用することができる。
【符号の説明】
【００２４】
１  電線ヒューズ
２  溶断部
３  接続部
４  ヒューズエレメント
５  透明筒体
１２  蛍光塗料
１３  コイル状のばね材
１４  保護被膜
１５  板状のばね材
【図１】
2011086593.tif 000003
【図２】
2011086593.tif 000004
【図３】
2011086593.tif 000005
【図４】
2011086593.tif 000006